(57)【要約】      （修正有）【課題】接点を接続するための装置と方法のための技術を提供する。【解決手段】雌コンポーネント２０は、雌ハウジング５５と、外側ソケット本体４０と、外側ばね３０と、外側ピストン３５と、中央接点４５とを含み得る。外側ピストン３５は、平らな表面と外側ピストン３５の内外面に本質的に垂直な面上のディンプルと、を含む第１のピストン端を有する円柱管セグメントであり得る。外側ピストン３５の第２の端は、内外面に本質的に垂直な面上でない平らな傾いた表面を含み得る。雄コンポーネント６０は、雄ハウジング８０と、外側ピン６５と、中央ピン７５とを含み得る。雌ハウジング５５は、雄ハウジング８０と結合し得る。外側ソケット本体４０は、外側ピン６５と結合し得る。外側ピン６５は、外側ピストン３５と係合し得る。外側ピストン３５は、係合の際、中央接点４５を中央ピン７５と接触させ得る。【選択図】図１
2020135984.tif 000002
【特許請求の範囲】
【請求項１】
同軸コンタクトに効果的に接続するコネクタであって、
雌コンポーネントと、
雄コンポーネントと、を備え、
前記雌コンポーネントは、
雌ハウジングと、
前記雌ハウジング内の外側ソケット本体と、
前記外側ソケット本体内の外側ばねと、
前記外側ソケット本体内の外側ピストンと、ここにおいて、前記外側ピストンは、内面と外面を有する円柱管セグメントであり、前記外側ピストンは、第１のピストン端と第２のピストン端を有し、前記第１のピストン端は、前記内面と前記外面に本質的に垂直な面上である平らな表面を有し、前記第１のピストン端は、前記第１のピストン端の平らな表面から突出するディンプルを含み、前記第２のピストン端は、前記内面と前記外面に本質的に垂直な面上でない平らな傾いた表面を有し、前記第２のピストン端は、前記外側ばねの端と接触し、
電気を導通させるのに効果的であり、前記外側ばねと前記外側ピストン内の中央接点と、
前記中央接点と前記外側ばねとの間の第１の絶縁体とを含み、
前記雄コンポーネントは、
雄ハウジングと、
前記雄ハウジング内の外側ピンと、
電気を導通させるのに効果的であり、前記外側ピン内の中央ピンと、
前記中央ピンと前記外側ピンとの間の第２の絶縁体とを含み、
前記雌ハウジングの第１の端は、前記雄ハウジングの第１の端と結合するように構成され、前記外側ソケットは、前記外側ピンと結合するように構成され、前記外側ピンは、前記外側ピストンと係合するように構成され、前記外側ピストンは、前記外側ピンとの係合の際、前記中央接点を前記中央ピンに接触させるように構成されている、コネクタ。
【請求項２】
前記ディンプルは半円柱であり、前記円柱の円形面を通して二分され、前記ディンプルは平らな側と曲がった側を含み、前記ディンプルの平らな側は、前記第１のピストン端の前記平らな表面と隣接し、前記ディンプルの曲がった側は、前記第１のピストン端の前記平らな表面から突出する、請求項１に記載のコネクタ。
【請求項３】
前記ディンプルは、前記外側ピストンの前記第１のピストン端と前記外側ピンとの間の接触領域を低減させる、請求項２に記載のコネクタ。
【請求項４】
前記ディンプルは、前記外側ピストンの前記第１のピストン端と前記外側ピンとの間の接触応力を低減させる、請求項２に記載のコネクタ。
【請求項５】
前記外側ピストンの前記第１のピストン端が前記外側ピンと接触するとき、前記ディンプルは、前記外側ピストンの前記第１のピストン端と前記外側ピンとの間のヘルツ応力を最適化する、請求項２に記載のコネクタ。
【請求項６】
前記外側ソケット本体と前記外側ピストンは、非磁気的である、請求項１に記載のコネクタ。
【請求項７】
前記外側ピストンは、軸方向に＋／−０．３ｍｍの、前記中央接点と前記中央ピンのずれを補正する、請求項１に記載のコネクタ。
【請求項８】
前記外側ピストンは、１ｍｍまでの、前記雌コンポーネントの前記第１の端と前記雄ハウジングとの間のずれを補正する、請求項１に記載のコネクタ。
【請求項９】
同軸コンタクトに接続するシステムであって、
少なくとも１つの雌コンポーネントを含むレセプタクルと、
少なくとも１つの雄コンポーネントを含むプラグを備え、
前記少なくとも１つの雌コンポーネントは、
雌ハウジングと、
前記雌ハウジング内の外側ソケット本体と、
前記外側ソケット本体内の外側ばねと、
前記外側ソケット本体内の外側ピストンと、ここにおいて、前記外側ピストンは、内面と外面を有する円柱管セグメントであり、前記外側ピストンは、第１のピストン端と第２のピストン端を有し、前記第１のピストン端は、前記内面と前記外面に本質的に垂直な面上である平らな表面を有し、前記第１のピストン端は、前記第１のピストン端の平らな表面から突出するディンプルを含み、前記第２のピストン端は、前記内面と前記外面に本質的に垂直な面上でない平らな傾いた表面を有し、前記第２のピストン端は、前記外側ばねの端と接触し、
電気を導通させるのに効果的であり、前記外側ばねと前記外側ピストン内の中央接点と、
前記中央接点と前記外側ばねとの間の第１の絶縁体とを含み、
前記少なくとも１つの雄コンポーネントは、
雄ハウジングと、
前記雄ハウジング内の外側ピンと、
電気を導通させるのに効果的であり、前記外側ピン内の中央ピンと、
前記中央ピンと前記外側ピンとの間の第２の絶縁体とを含み、
各雌ハウジングの第１の端は、それぞれの雄ハウジングの第１の端と結合するように構成され、前記外側ソケットは、前記外側ピンと結合するように構成され、前記外側ピンは、前記外側ピストンと係合するように構成され、前記外側ピストンは、前記外側ピンとの係合の際、前記中央接点を前記中央ピンと接触させるように構成されている、システム。
【請求項１０】
前記ディンプルは半円柱であり、前記円柱の円形面を通して二分され、前記ディンプルは平らな側と曲がった側を含み、前記ディンプルの平らな側は、前記第１のピストン端の前記平らな表面と隣接し、前記ディンプルの曲がった側は、前記第１のピストン端の前記平らな表面から突出する、請求項９に記載のシステム。
【請求項１１】
前記ディンプルは、前記外側ピストンの前記第１のピストン端と前記外側ピンとの間の接触領域を低減させる、請求項１０に記載のシステム。
【請求項１２】
前記ディンプルは、前記外側ピストンの前記第１のピストン端と前記外側ピンとの間の接触応力を低減させる、請求項１０に記載のシステム。
【請求項１３】
前記外側ピストンの前記第１のピストン端が前記外側ピンと接触するとき、前記ディンプルは、前記外側ピストンの前記第１のピストン端と前記外側ピンとの間のヘルツ応力を最適化する、請求項１０に記載のシステム。
【請求項１４】
前記外側ソケット本体と前記外側ピストンは、非磁気的であり、ニッケル−リン薄膜メッキで被覆されている、請求項９に記載のシステム。
【請求項１５】
前記プラグとレセプタクルは、磁気共鳴映像法（ＭＲＩ）機器の一部である、請求項１０に記載のシステム。
【請求項１６】
前記外側ピストンは、軸方向に＋／−０．３ｍｍの、前記中央接点と前記中央ピンのずれを補正する、請求項１０に記載のシステム。
【請求項１７】
前記外側ピストンは、１ｍｍまでの、前記雌コンポーネントの前記第１の端と前記雄ハウジングとの間のずれを補正する、請求項１０に記載のシステム。
【請求項１８】
同軸コンタクトを接続する方法あって、
雌コンポーネントの雌ハウジングの第１の端と雄コンポーネントの雄ハウジングの第１の端とを整列させることと、
ここにおいて、前記雌コンポーネントは、
雌ハウジングと、
前記雌ハウジング内の外側ソケット本体と、
前記外側ソケット本体内の外側ばねと、
前記外側ソケット本体内の外側ピストンであって、前記外側ピストンは、内面と外面を有する円柱管セグメントであり、前記外側ピストンは、第１のピストン端と第２のピストン端を有し、前記第１のピストン端は、前記内面と前記外面に本質的に垂直な面上である平らな表面を有し、前記第１のピストン端は、前記第１のピストン端の平らな表面から突出するディンプルを含み、前記第２のピストン端は、前記内面と前記外面に本質的に垂直な面上でない平らな傾いた表面を有し、前記第２のピストン端は、前記外側ばねの端と接触する、外側ピストンと、
電気を導通させるのに効果的であり、前記外側ばねと前記外側ピストン内の中央接点と、
前記中央接点と前記外側ばねとの間の第１の絶縁体と、を含み、
前記雄コンポーネントは、
雄ハウジングと、
前記雄ハウジング内の外側ピンと、
電気を導通させるのに効果的であり、前記外側ピン内の中央ピンと、
前記中央ピンと前記外側ピンとの間の第２の絶縁体と、を含み、
前記雌ハウジングの第１の端を、前記雄ハウジングの第１の端と結合することと、
外側ソケットを、外側ピンと結合することと、
前記外側ピンを、外側ピストンに接触することと、
中央接点を、中央ピンと接触させること、
と、を備える方法。
【請求項１９】
前記外側ピストンは、軸方向に＋／−０．３ｍｍの、前記中央接点と前記中央ピンのずれを補正する、請求項１８に記載の方法。
【請求項２０】
前記外側ピストンは、１ｍｍまでの、前記雌コンポーネントの前記第１の端と前記雄ハウジングとの間のずれを補正する、請求項１８に記載の方法。
【発明の詳細な説明】
【背景】
【０００１】
[0001]  ここに別途示さない限り、このセクションにおいて説明する素材は、本願内における特許請求の範囲に対する先行技術ではなく、このセクションに含まれるものにより先行技術であると認められない。
【０００２】
[0002]  同軸コネクタは、データを送信する同軸ケーブルを接続するために、産業用途で使用され得る。同軸コネクタは、外側導体コンタクトと内側導体コンタクトを含み得る。同軸コネクタは、別の同軸コネクタに機械的に結合され得る。同軸コネクタは、嵌合した対を形成するために結合する、雄コネクタコンポーネントと雌コネクタコンポーネントを有し得る。雄コネクタコンポーネントは、プラグ又はピンと呼ばれることがあり、雌コネクタコンポーネントは、ジャック又はソケットと呼ばれることがある。同軸コネクタの対は、ねじ切り、バヨネット結合、又は、スナップ式結合により、結合又は嵌合され得る。
【概要】
【０００３】
[0003]  本発明の１つの実施形態は、同軸コンタクトを接続するのに効果的なコネクタである。コネクタは、雌コンポーネントを備え得る。雌コンポーネントは、雌ハウジングを含み得る。雌コンポーネントは、雌ハウジング内に外側ソケット本体を含み得る。雌コンポーネントは、外側ソケット本体内に外側ばねを含み得る。雌コンポーネントは、外側ソケット内に外側ピストンを含み得る。外側ピストンは、内面と外面を有する円柱管セグメントであり得る。外側ピストンは、第１のピストン端と第２のピストン端を有し得る。第１のピストン端は、内面と外面に本質的に垂直な面上である平らな表面を有し得る。第１のピストン端は、第１のピストン端の平らな表面から突出するディンプル（dimples）を含み得る。第２のピストン端は、内面と外面に本質的に垂直な面上でない平らな傾いた表面を有し得る。第２のピストン端は、外側ばねの端と接触し得る。雌コンポーネントは、電気を導通させるのに効果的であり、外側ばね及び外側ピストン内の中央接点を含み得る。雌コンポーネントは、中央接点と外側ばねとの間の第１の絶縁体を含み得る。コネクタは、雄コンポーネントを備え得る。雄コンポーネントは、雄ハウジングを含み得る。雄コンポーネントは、雄ハウジング内の外側ピンを含み得る。雄コンポーネントは、電気を導通させるのに効果的であり、外側ピン内の中央ピンを含み得る。雄コンポーネントは、中央ピンと外側ピンとの間の第２の絶縁体とを含み得る。雌ハウジングの第１の端は、雄ハウジングの第１の端と結合するように構成され得る。外側ソケットは、外側ピンと結合するように構成され得る。外側ピンは、外側ピストンと係合するように構成され得る。外側ピストンは、外側ピストンに係合する際、中央接点を中央ピンと接触させるように構成され得る。
【０００４】
[0004]  本発明の別の実施形態は、同軸コンタクトに接触させるためのシステムを含む。システムは、レセプタクルを備え得る。レセプタクルは、少なくとも１つの雌コンポーネントを含み得る。少なくとも１つの雌コンポーネントは、雌ハウジングを含み得る。雌コンポーネントは、雌ハウジング内に外側ソケット本体を含み得る。雌コンポーネントは、外側ソケット本体内に外側ばねを含み得る。雌コンポーネントは、外側ソケット内に外側ピストンを含み得る。外側ピストンは、内面と外面を有する円柱管セグメントであり得る。外側ピストンは、第１のピストン端と第２のピストン端を有し得る。第１のピストン端は、内面と外面に本質的に垂直な面上である平らな表面を有し得る。第１のピストン端は、第１のピストン端の平らな表面から突出するディンプルを含み得る。第２のピストン端は、内面と外面に本質的に垂直な面上でない平らな傾いた表面を有し得る。第２のピストン端は、外側ばねの端と接触し得る。雌コンポーネントは、電気を導通させるのに効果的であり、外側ばね及び外側ピストン内の中央接点を含み得る。雌コンポーネントは、中央接点と外側ばねとの間の第１の絶縁体を含み得る。システムは、プラグを備え得る。プラグは、少なくとも１つの雄コンポーネントを含み得る。少なくとも１つの雄コンポーネントは、雄ハウジングを含み得る。雄コンポーネントは、雄ハウジング内の外側ピンを含み得る。雄コンポーネントは、電気を導通させるのに効果的であり、外側ピン内の中央ピンを含み得る。雄コンポーネントは、中央ピンと外側ピンとの間の第２の絶縁体とを含み得る。各雌ハウジングの第１の端は、それぞれの雄ハウジングの第１の端と結合するように構成され得る。外側ソケットは、外側ピンと結合するように構成され得る。外側ピンは、外側ピストンと係合するように構成され得る。外側ピストンは、外側ピンに係合する際、中央接点を中央ピンと接触させるように構成され得る。
【０００５】
[0005]  本発明の別の実施形態は、同軸コンタクトに接続するための方法である。方法は、雌コンポーネントの雌ハウジングの第１の端と雄コンポーネントの雄ハウジングの第１の端とを整列させることを備え得る。雌コンポーネントは、雌ハウジングを含み得る。雌コンポーネントは、雌ハウジング内の外側ソケット本体を含み得る。雌コンポーネントは、記外側ソケット本体内の外側ばねを含み得る。雌コンポーネントは、外側ソケット内の外側ピストンを含み得る。外側ピストンは、内面と外面を有する円柱管セグメントであり得る。外側ピストンは、第１のピストン端と第２のピストン端を有し得る。第１のピストン端は、内面と外面に本質的に垂直な面上である平らな表面を有し得る。第１のピストン端は、第１のピストン端の平らな表面から突出するディンプルを含み得る。第２のピストン端は、内面と外面に本質的に垂直な面上でない平らな傾いた表面を有し得る。第２のピストン端は、外側ばねの端と接触し得る。雌コンポーネントは、電気を導通させるのに効果的な中央接点を含み得る。中央接点は、外側ばね及び外側ピストン内にあり得る。雌コンポーネントは、中央接点と外側ばねとの間の第１の絶縁体を含み得る。雄コンポーネントは、雄ハウジングを含み得る。雄コンポーネントは、雄ハウジング内の外側ピンを含み得る。雄コンポーネントは、電気を導通させるのに効果的な中央ピンを含み得る。中央ピンは、外側ピン内にあり得る。雄コンポーネントは、中央ピンと外側ピンとの間の第２の絶縁体とを含み得る。方法は、雌ハウジングの第１の端を、雄ハウジングの第１の端と結合することを備え得る。方法は、外側ソケットを、外側ピンと結合することを備え得る。方法は、外側ピンを、外側ピストンに接触することを備え得る。方法は、中央接点を、中央ピンと接触させることを備え得る。
【０００６】
[0006]  前述の概要は、例示目的にすぎず、決して限定することを意図してはいない。上記で説明した例示的な態様、実施形態、及び、特徴に加えて、さらなる態様、実施形態、及び、特徴が、図面及び以下の詳細な説明を参照することによって明らかになるだろう。
【０００７】
[0007]  本開示の前述の及び他の特徴は、付随する図面とともに、以下の説明と添付の特許請求の範囲からより完全に明らかになるだろう。これらの図面が本開示にしたがういくつかの実施形態のみを描いていると理解することは、したがって、その範囲を限定しているとはみなされず、本開示は、付随する図面の使用を通して、付加的な特定性及び詳細とともに説明されるだろう。
【図面の簡単な説明】
【０００８】
【図１】[0008]  図１は、同軸コネクタの雌コンポーネントと同軸コネクタの雄コンポーネントの側面切り欠き図である。
【図２Ａ】図２Ａは、同軸コネクタの雌コンポーネントの外側ピストンの側面斜視図である。
【図２Ｂ】図２Ｂは、同軸コネクタの雌コンポーネントの外側ピストンのディンプルの側面斜視図である。
【図３】図３は、同軸コネクタの雄コンポーネントに結合された同軸コネクタの雌コンポーネントの側面切り欠き図である。
【図４】図４は、同軸コネクタの雄コンポーネントに結合された同軸コネクタの雌コンポーネントの側面切り欠き図である。
【図５】図５は、同軸コネクタの雄コンポーネントに結合された同軸コネクタの雌コンポーネントの側面切り欠き図である。
【図６Ａ】図６Ａは、プラグとレセプタクルの側面斜視図である。
【図６Ｂ】図６Ｂは、レセプタクルと結合したプラグの側面斜視図である。
【図７】図７は、複数のプラグとレセプタクルを利用する医療テスト装置の側面斜視図である。
【図８】図８は、クラムシェルを有するプラグとレセプタクルの長手側切り欠き図である。
【図９】図９は、クラムシェルを有するプラグとレセプタクルの短手側切り欠き図である。
【図１０】図１０は、ここで説明する少なくともいくつかの実施形態にしたがってすべて構成された、同軸コンタクトを接続するための例示的なプロセスに対するフローダイヤグラムを図示している。
【詳細な説明】
【０００９】
[0009]  以下の詳細な説明では、その一部分を形成する、付随する図面への参照がなされる。文脈が他を示さない限り、図面において、類似する記号は典型的に類似するコンポーネントを識別する。詳細な説明、図面、及び、特許請求の範囲において説明する例示的な実施形態は、限定することを意味しない。ここで提示する主題事項の精神又は範囲から逸脱することなく、他の実施形態が利用でき、他の変更がなされ得る。ここで一般的に説明し、図面中に図示するように、本開示の態様は、さまざまな異なる構成で配置され、置き換えられ、組み合わされ、別個にされ、及び、設計されることができ、そのすべてが明示的にここに企図されていることが難なく理解されるだろう。
【００１０】
[0010]  図１は、ここで説明する少なくともいくつかの実施形態にしたがって構成された、同軸コネクタの雌コンポーネントと同軸コネクタの雄コンポーネントの側面切り欠き図である。システム１００は、同軸コネクタ１０を含み得る。同軸コネクタ１０は、雌コネクタ１２０と雄コネクタ１６０を含み得る。雌コネクタ１２０は、雌コンポーネント２０と雌ハウジング５５を含み得る。雌コンポーネント２０は、絶縁体２５、外側ばね３０、外側ピストン３５、外側ソケット本体４０、電気を導通させるのに効果的な中央接点４５、及び、内側ばね５０を含み得る。外側ソケット本体４０は、雌ハウジング５５内にあり得る。外側ばね３０と外側ピストン３５は、外側ソケット本体４０内にあり得る。中央接点４５は、外側ばね３０及び外側ピストン３５内にあり得る。絶縁体２５は、中央接点４５と外側ばね３０との間にあり得る。雌ハウジング５５は、第１の端５２と第２の端５３を含み得る。雄コネクタ１６０は、雄コンポーネント６０と雄ハウジング８０を含み得る。雄コンポーネント６０は、外側ピン６５、絶縁体７０、電気を導通させるのに効果的な中央ピン７５を含み得る。絶縁体７０は、中央ピン７５と外側ピン６５との間にあり得る。雄ハウジング８０は、第１の端８２と第２の端８３を含み得る。雌ハウジング５５の第１の端５２は、雄ハウジング８０の第１の端８２と結合するように構成され得る。雌ハウジング５５の第１の端５２は、雄ハウジング８０の第１の端８２と整列することができ、雌ハウジング５５の第１の端５２は、雄ハウジング８０の第１の端８２内にはまり得る。雌ハウジング５５の第１の端５２は、雌コンポーネント２０の外側ソケット本体４０の中央接点４５の、雄コンポーネント６０の外側ピン６５との結合を容易にするように構成され得る。雌コンポーネント２０と雄コンポーネント６０が結合するとき、外側ピン６５は、外側ソケット本体４０内にはまることができ、外側ピン６５は、外側ピストン３５と係合できる。外側ソケット本体４０と外側ピストン３５は、非磁気的であってよく、ニッケル−リン薄膜めっき又は銅、錫、亜鉛の三元合金薄膜めっきで覆われ得る。雌コンポーネント２０のすべての金属コンポーネントは、非磁気的であり得る。外側ピン６５は、外側ピストン３５と係合でき、雌コンポーネント２０と雄コンポーネント６０が結合するとき、外側ばね３０を圧縮し得る。雄コンポーネント６０のすべての金属コンポーネントは、非磁気的であり得る。ばね３０は、ベリリウム銅であってよく、非磁気的であり得る。雄コンポーネント６０と雌コンポーネント２０が嵌合すると、外側ピストン３５は、圧縮したばね３０とともに動くことができ、中央接点４５を露出させ得る。雌コンポーネント２０の中央接点４５は、外側ピン６５内にはまることができ、雄コンポーネント６０の中央ピン７５と係合し得る。中央接点４５が中央ピン７５と係合するとき、内側ばね５０は、圧縮し得る。中央ピン７５は、非磁気的であってよく、ニッケル−リン薄膜めっき又は銅、錫、亜鉛の三元合金薄膜めっきで覆われ得る。以下により詳細に説明するように、外側ピストン３５は、外側ピン６５と係合し、雌コンポーネント２０の中央接点４５の雄コンポーネント６���の中央ピン７５との結合を容易にするように構成され得る。
【００１１】
[0011]  図２Ａは、ここで説明する少なくともいくつかの実施形態にしたがって構成された、同軸コネクタの雌コンポーネントの外側ピストンの側面斜視図である。図２Ｂは、ここで説明する少なくともいくつかの実施形態にしたがって構成された、同軸コネクタの雌コンポーネントの外側ピストンのディンプルの側面斜視図である。図１のコンポーネントと同様に符号が付与されている図２Ａと２Ｂ中のこれらのコンポーネントは、簡潔性の目的のため再度説明しません。
【００１２】
[0012]  外側ピストン３５は、第１の端２０５、第２の端２１０、外面２１２ａ、及び、内面２１２ｂを有する、中空円柱管セグメントであり得る。外側ピストンは、黄銅又は青銅のような銅合金であり得る。内面２１２ｂ又は外側ピストン３５は、第１の端２０５から第２の端２１０へと外側ピストン３５を通したチャネル（channel）２１５を規定し得る。外側ピストン３５の第１の端２０５は、外面２１２ａと内面２１２ｂに本質的に垂直な面上に、平らな表面２２０を有し得る。外側ピストン３５の第２の端２１０は、平らな傾いた表面２２２を有し得る。傾いた表面２２２は、外面２１２ａと内面２１２ｂに本質的に垂直な面上になくてよく、第１の端２０５の平らな表面２２０から傾斜し得る。傾いた表面２２２により、外側ピストン３５は、長さが均一でなく、２１４ａの最も長い長さから２１４ｂの最も短い長さの範囲にある。第１の端２０５の平らな表面２２０は、平らな表面２２０から突出するディンプル２２５を含み得る。ディンプル２２５は、平らな側２３０と曲がった側２３５を有する、円柱の円形面を通して二分された、半円柱であり得る。ディンプル２２５の平らな側２３０は、外側ピストン３５の平らな表面２２０と隣接することができ、曲がった側２３５は、外側ピストン３５の平らな表面２２０から突出し得る。
【００１３】
[0013]  図３は、ここで説明する少なくともいくつかの実施形態にしたがって構成された、同軸コネクタの雄コンポーネントに結合された同軸コネクタの雌コンポーネントの側面切り欠き図である。図１〜２のコンポーネントと同様に符号が付与されている図３中のこれらのコンポーネントは、簡潔性の目的のため再度説明しません。
【００１４】
[0014]  雄コンポーネント６０と雌コンポーネント２０が結合するとき、雄コンポーネント６０の外側ピン６５は、雌コンポーネント２０の外側ソケット本体４０内にはまり得る。外側ピン６５は、外側ピストン３５のディンプル２２５に係合し、接続し得る。ディンプル２２５は、外側ピストン３５と外側ピン６５との間の接触領域を低減させ得る。ディンプル２２５は、外側ピストン３５と外側ピン６５との間の接触応力を低減させ得る。ディンプル２２５は、外側ピストン３５と外側ピン６５との間の接触の間のヘルツ応力を最適化し得る。
【００１５】
[0015]  外側ピン６５は、外側ピストン３５のディンプル２２５と係合し、外側ばね３０を圧縮し得る。外側ピストン３５は、圧縮したばね３０とともに動くことができ、中央接点４５を露出させ得る。雌コンポーネント２０の中央接点４５は、外側ピン６５内にはまることができ、雄コンポーネント６０の中央ピン７５と係合し得る。外側ばね３０は、圧縮すると、力３１０を最長辺長２１４ａにおける外側ピストン３５の傾いた表面２２２に適用することができ、第２の力３２０を最短辺長２１４ｂにおける外側ピストン３５の傾いた表面２２２に適用し得る。最短辺長２１４ｂにおける外側ピストン３５の傾いた表面２２２によってよりも、最長辺長２１４ａにおける外側ピストン３５の傾いた表面２２２によって、ばね３０がより圧縮されることにより、力３１０は、力３２０よりも大きくなり得る。力３２０よりも大きい力３１０は、次に、傾いた表面２２２に隣接する最長辺長２１４ａの端で、力３３０を外側ソケット本体４０に向けて適用し得る。力３２０より大きい力３１０はまた、次に、最短辺長２１４ｂの端の、平らな表面２２０に隣接する、力３４０を外側ソケット本体４０に向けて適用し得る。力３３０及び３４０は、外側ピストン３５が、低い接触応力で、外側ソケット本体４０内でスライドすることを可能にし得る。外側ピン６５と係合する外側ピストン３５は、雌コンポーネント２０の中央接点４５と雄コンポーネント６０の中央ピン７５との間の接触を容易にし得る。
【００１６】
[0016]  図４は、ここで説明する少なくともいくつかの実施形態にしたがって構成された、同軸コネクタの雄コンポーネントに結合された同軸コネクタの雌コンポーネントの側面切り欠き図である。図１〜３のコンポーネントと同様に符号が付与されている図４中のこれらのコンポーネントは、簡潔性の目的のため再度説明しません。
【００１７】
[0017]  雌ハウジング５５の第１の端５２は、雄ハウジング８０の第１の端８２と結合するように構成され得る。雌ハウジング５５の第１の端５２は、雄ハウジング８０の第１の端８２内にはまることができ、雌コンポーネント２０の外側ソケット本体４０の雄コンポーネント６０の外側ピン６５との接触の結合を容易にするように構成され得る。雌ハウジング５５の第１の端５２と雄ハウジング８０の第１の端８２は、ずれているかもしれず、雌ハウジング５５の第１の端５２の側と雄ハウジング８０の第１の端８２の側との間に間隙を含んでいるかもしれない。雄コンポーネント６０と雌コンポーネント２０が結合するとき、雄コンポーネント６０の外側ピン６５は、雌コンポーネント２０の外側ソケット本体４０内にはまり得る。外側ピン６５は、外側ピストン３５のディンプル２２５と係合し、接続し得る。外側ピン６５は、外側ピストン３５のディンプル２２５と係合し、外側ばね３０を圧縮し得る。外側ピストン３５は、圧縮したばね３０とともに動くことができ、中央接点４５を露出させ得る。雌コンポーネント２０の中央接点４５は、外側ピン６５内にはまることができ、雄コンポーネント６０の中央ピン７５と係合し得る。
【００１８】
[0018]  上記で説明したように、外側ばね３０は、圧縮の際、力を外側ピストン３５に適用することができ、低い接触応力で、外側ピストン３５が外側ソケット本体４０内でスライドすることを可能にし得る。外側ピン６５と係合した外側ピストン３５は、雌コンポーネント２０の中央接点４５と雄コンポーネント６０の中央ピン７５との間の接触を容易にすることができ、傾いた角度における結合のような、外側ピン６５と外側ソケット本体４０のずれを補正し得る。外側ピストン３５は、軸（Ｘ，Ｙ）方向に＋／−０．３ｍｍの、雌コンポーネント２０の中央接点４５と雄コンポーネント６０の中央ピン７５のずれを補正し得る。
【００１９】
[0019]  図５は、ここで説明する少なくともいくつかの実施形態にしたがって構成された、同軸コネクタの雄コンポーネントに結合された同軸コネクタの雌コンポーネントの側面切り欠き図である。図１〜４のコンポーネントと同様に符号が付与されている図５中のこれらのコンポーネントは、簡潔性の目的のため再度説明しません。
【００２０】
[0020]  雌ハウジング５５の第１の端５２は、雄ハウジング８０の第１の端８２と結合するように構成され得る。雌ハウジング５５の第１の端５２は、雄ハウジング８０の第１の端８２内にはまることができ、雌コンポーネント２０の外側ソケット本体４０の雄コンポーネント６０の外側ピン６５との結合を容易にするように構成され得る。雌ハウジング５５の第１の端５２と雄ハウジング８０の第１の端８２は、ずれるかもしれず、雌ハウジング５５の第１の端５２の端と雄ハウジング８０の間に間隙５１０を含んでいるかもしれない。雄コンポーネント６０と雌コンポーネント２０が結合するとき、雄コンポーネント６０の外側ピン６５は、雌コンポーネント２０の外側ソケット本体４０内にはまり得る。外側ピン６５は、外側ピストン３５のディンプル２２５と係合し、接触し得る。外側ピン６５は、外側ピストン３５のディンプル２２５と係合し、外側ばね３０を圧縮し得る。外側ピストン３５は、圧縮したばね３０とともに動き、中央接点４５を露出させ得る。雌コンポーネント２０の中央接点４５は、外側ピン６５内にはまることができ、雄コンポーネント６０の中央ピン７５と係合し得る。
【００２１】
[0021]  上記で説明したように、外側ばね３０は、圧縮の際、力を外側ピストン３５に適用することができ、低い接触応力で、外側ピストン３５が外側ソケット本体４０内でスライドすることを可能にし得る。外側ピン６５と係合する外側ピストン３５は、雌コンポーネント２０の中央接点４５と雄コンポーネント６０の中央ピン７５との間の接触を容易にし得る。外側ピストン３５は、外側ピン６５と外側ソケット本体４０のずれを補正し得る。外側ピストン３５は、１ｍｍまでの、雌ハウジング５５の第１の端５２と雄ハウジング８０との間のずれ間隙を補正し得る。
【００２２】
[0022]  図６Ａは、ここで説明する少なくともいくつかの実施形態にしたがって構成された、プラグとレセプタクルの側面斜視図である。図６Ｂは、ここで説明する少なくともいくつかの実施形態にしたがって構成された、レセプタクルと結合したプラグの側面斜視図である。図１〜５のコンポーネントと同様に符号が付与されている図６Ａと６Ｂ中のこれらのコンポーネントは、簡潔性の目的のため再度説明しません。
【００２３】
[0023]  システム６００は、プラグ６１０とレセプタクル６２０を含み得る。実施形態において、プラグ６１０は、複数の雄コンポーネント６０を含むことができ、レセプタクル６２０は、複数の雌コンポーネント２０を含み得る。各雄コンポーネント６０がレセプタクル６２０内のそれぞれの雌コンポーネント２０に結合されるように、プラグ６１０は、レセプタクル６２０と結合するように構成され得る。プラグ６１０とレセプタクル６２０は、同軸コネクタに対するコンポーネントである。プラグ６１０とレセプタクル６２０は、耐水性であり、産業で利用され得る。プラグ６１０とレセプタクル６２０のすべての金属コンポーネントは、非磁気的であり得る。プラグ６１０とレセプタクル６２０は、磁気共鳴映像法（ＭＲＩ）機器のような、医療機器で使用され得る。プラグ６１０とレセプタクル６２０はまた、医療機器のためのカテーテルコネクタ又は内視鏡コネクタとして使用され得る。
【００２４】
[0024]  図７は、ここで説明する少なくともいくつかの実施形態にしたがって構成された、複数のプラグとレセプタクルを利用する医療テスト装置の側面斜視図である。図１〜６のコンポーネントと同様に符号が付与されている図７中のこれらのコンポーネントは、簡潔性の目的ため再度説明しません。
【００２５】
[0025]  医療テスト装置７１０は、カバー７２０とベース７３０を含み得る。カバー７２０は、雄コンポーネント６０を有する複数の雄コネクタ１６０を含み得る。ベースは、雌コンポーネント２０を有する複数の雌コネクタ１２０を含み得る。カバー７２０の雄コネクタ１６０は、ベース７３０の雌コネクタ１２０と結合し得る。
【００２６】
[0026]  図８は、ここで説明する少なくともいくつかの実施形態にしたがって構成された、クラムシェルを有するプラグとレセプタクルの長手側切り欠き図である。図１〜７のコンポーネントと同様に符号が付与されている図８中のこれらのコンポーネントは、簡潔性の目的のため再度説明しません。
【００２７】
[0027]  システム８００は、クラムシェル８１５を有するプラグ８１０とレセプタクル８２０を含み得る。実施形態において、プラグ８１０は、クラムシェル８１５と複数の雄コンポーネント６０を含み得る。クラムシェル８１５は、プラグ８１０に対する防水壁であり得る。レセプタクル８２０は、複数の雌コンポーネント２０を含み得る。各雄コンポーネント６０がレセプタクル８２０内のそれぞれの雌コンポーネント２０に結合されるように、プラグ８１０は、レセプタクル８２０と結合するように構成され得る。プラグ８１０とレセプタクル８２０は、同軸コネクタに対するコンポーネントであり得る。
【００２８】
[0028]  図９は、ここで説明する少なくともいくつかの実施形態にしたがって構成された、クラムシェルを有するプラグとレセプタクルの短手側切り欠き図である。図１〜８のコンポーネントと同様に符号が付与されている図９中のこれらのコンポーネントは、簡潔性の目的のため再度説明しません。
【００２９】
[0029]  システム９００は、クラムシェル８１５を有するプラグ８１０とレセプタクル８２０を含み得る。プラグ８１０は、クラムシェル８１５、ロックレバー９１０、及び、複数の雄コンポーネント６０を含み得る。レセプタクル８２０は、突起９２０と複数の雌コンポーネント２０を含み得る。ロックレバー９１０が突起９２０をクリップ留めし、プラグ８１０をレセプタクル８２０にロックし、各雄コンポーネント６０がレセプタクル８２０内のそれぞれの雌コンポーネント２０と結合するように、プラグ８１０は、レセプタクル８２０と結合するように構成され得る。
【００３０】
[0030]  本開示にしたがう装置は、１００，０００を超える嵌合サイクルを通して、同軸コンタクトの結合を可能にし得る。本開示にしたがう装置は、軸方向（Ｘ，Ｙ）に＋／−０．３ｍｍの、雄コンポーネントと雌コンポーネントとの間のずれを補正できる、ばね荷重同軸コンタクトを提供し得る。本開示にしたがう装置は、１ｍｍまでの、雌ハウジングの端と雄ハウジングとの間のずれ間隙を補正できる、ばね荷重同軸コンタクトを提供し得る。本開示にしたがう装置は、磁気共鳴映像法（ＭＲＩ）機器のような、医療機器とともに使用するためのプラグとレセプタクルを提供し得る。
【００３１】
[0031]  図１０は、ここで説明する少なくともいくつかの実施形態にしたがって構成された、同軸コンタクトを接続するための例示的なプロセスに対するフローダイヤグラムを図示している。例示的なプロセスは、ブロックＳ２、Ｓ４、Ｓ６、Ｓ８、及び／又は、Ｓ１０のうちの１つ以上によって図示するような、１つ以上の動作、アクション、又は、機能を含み得る。別個のブロックとして図示しているが、さまざまなブロックは、所望の実施に依存して、付加的なブロックに分割することができ、より少ないブロックに結合でき、又は、削除できる。
【００３２】
[0032]  処理は、ブロックＳ２「雌コンポーネントの雌ハウジングの第１の端を雄コンポーネントの雄ハウジングの第１の端に整列させる、ここにおいて、雌コンポーネントは、雌ハウジングと、雌ハウジング内の外側ソケット本体と、外側ソケット本体内の外側ばねと、外側ソケット内の外側ピストンであって、外側ピストンは、内面と外面を有する円柱管セグメントであり、外側ピストンは、第１のピストン端と第２のピストン端を有し、第１のピストン端は、内面と外面に本質的に垂直な面上である平らな表面を有し、第１のピストン端は、第１のピストン端の平らな表面から突出するディンプルを含み、第２のピストン端は、内面と外面に本質的に垂直な面上でない平らな傾いた表面を有し、第２のピストン端は、外側ばねの端と接触する、外側ピストンと、電気を導通させるのに効果的である、外側ばね及び外側ピストン内の中央接点と、中央接点と外側ばねとの間の第１の絶縁体と、を含み、雄コンポーネントは、雄ハウジングと、雄ハウジング内の外側ピンと、電気を導通させるのに効果的である、外側ピン内の中央ピンと、中央ピンと外側ピンとの間の第２の絶縁体とを含む」で開始し得る。ブロックＳ２において、雌コンポーネントの雌ハウジングの第１の端は、雄コンポーネントの雄ハウジングの第１の端と整列し得る。雌コンポーネントは、雌ハウジングと、雌ハウジング内の外側ソケット本体と、外側ソケット本体内の外側ばねと、外側ソケット内の外側ピストンと、中央接点と、中央接点と外側ばねとの間の第１の絶縁体とを含み得る。外側ピストンは、内面と外面を有する円柱管セグメントであり得る。外側ピストンは、第１のピストン端と第２のピストン端を有し得る。第１のピストン端は、内面と外面に本質的に垂直な面上である平らな表面を有し得る。第１のピストン端は、第１のピストン端の平らな表面から突出するディンプルを含み得る。第２のピストン端は、内面と外面に本質的に垂直な面上でない平らな傾いた表面を有し得る。第２のピストン端は、外側ばねの端と接触し得る。中央接点は、電気を導通させるのに効果的であり得る。中央接点は、外側ばね及び外側ピストン内にあり得る。雄コンポーネントは、雄ハウジングと、雄ハウジング内の外側ピンと、中央ピンと、中央ピンと外側ピンとの間の第２の絶縁体とを含み得る。中央ピンは、電気を導通させるのに効果的であり得る。中央ピンは、外側ピン内にあり得る。
【００３３】
[0033]  処理は、ブロックＳ２からブロックＳ４「雌ハウジングの第１の端を雄ハウジングの第１の端に結合する」に続き得る。ブロックＳ４において、雌ハウジングの第１の端は、雄ハウジングの第１の端に結合され得る。雌ハウジングの第１の端は、雄ハウジングの第１の端と結合するように構成され得る。
【００３４】
[0034]  処理は、ブロックＳ４からブロックＳ６「外側ソケットを外側ピンに結合する」に続き得る。ブロックＳ６において、雌コンポーネントの外側ソケットは、雄コンポーネントの外側ピンと結合し得る。雌コンポーネントの外側ソケットは、雄コンポーネントの外側ピンに結合するように構成され得る。
【００３５】
[0035]  処理は、ブロックＳ６からブロックＳ８「外側ピンが外側ピストンに係合する」に続き得る。ブロックＳ８において、雄コンポーネントの外側ピンは、雌コンポーネントの外側ピストンに係合し得る。雄コンポーネントの外側ピンは、雌コンポーネントの外側ピストンに係合するように構成され得る。
【００３６】
[0036]  処理は、ブロックＳ８からブロックＳ１０「中央接点が中央ピンに接触する」に続き得る。ブロックＳ１０において、雌コンポーネントの中央接点は、雄コンポーネントの中央ピンに接触し得る。外側ピストンは、外側ピンに係合する際、中央接点を中央ピンに接触させるように構成され得る。
【００３７】
[0037]  さまざまな態様及び実施形態をここに開示してきたが、他の態様及び実施形態が当業者に明らかになるであろう。ここで開示したさまざまな態様及び実施形態は、例示を目的としており、以下の特許請求の範囲によって示される真の範囲及び精神とともに、限定することを意図してはいない。
【図１】
2020135984.tif 000003
【図２Ａ】
2020135984.tif 000004
【図２Ｂ】
2020135984.tif 000005
【図３】
2020135984.tif 000006
【図４】
2020135984.tif 000007
【図５】
2020135984.tif 000008
【図６Ａ】
2020135984.tif 000009
【図６Ｂ】
2020135984.tif 000010
【図７】
2020135984.tif 000011
【図８】
2020135984.tif 000012
【図９】
2020135984.tif 000013
【図１０】
2020135984.tif 000014
【外国語明細書】
2020135984000001.pdf